(57)【要約】【課題】操作部を均一に照光させて視認性を高め、操作フィーリングを確保しつつ、接触信頼性が高く、省スペース化にも対応した照光式スイッチを提供することを目的とする。【解決手段】複数の端子４を突出したベース６とカバー１からなるスイッチ本体内に接触機構部を配設し、前記スイッチ本体の上方に突出した頭部２ａと、該頭部２ａの下方に弾性部材で略ドーム状に形成した反転部２ｂを一体的に形成した操作部２からなるスイッチにおいて、前記操作部２を透光性部材で形成し、前記接触機構部を構成する前記反転部２ｂ内の略中央部に接点２ｄを設け、該接点２ｄの下方に一乃至複数の発光素子５を配備し、前記カバー１の内側面に傾斜面１ｂを環状に形成し、前記スイッチ本体内に漏えいする光を反射させて前記透光性部材を導光して前記反転部２ｂの上方に位置する前記頭部２ａを均一照光可能に構成した。【選択図】      図１
2005044521.tif 000002
【特許請求の範囲】
【請求項１】
複数の端子を突出したベースとカバーからなるスイッチ本体内に接触機構部を配設し、前記スイッチ本体の上方に突出した頭部と、該頭部の下方に弾性部材で略ドーム状に形成した反転部を一体的に形成した操作部からなるスイッチにおいて、前記操作部を透光性部材で形成し、前記接触機構部を構成する前記反転部内の略中央部に接点を設け、該接点の下方に一乃至複数の発光素子を配備し、前記カバーの内側面に傾斜面を環状に形成し、前記スイッチ本体内に漏えいする光を反射させて前記透光性部材を導光して前記反転部の上方に位置する前記頭部を均一照光可能に構成したことを特徴とするスイッチ。
【請求項２】
前記スイッチ本体を構成するカバーを透光性部材で形成し、前記接触機構部の下方に配備した発光素子の光が前記透光性部材にて形成した前記カバーを照光する請求項１記載のスイッチ。
【請求項３】
前記接触機構部を構成する接点の下方に複数配備する発光素子の一方に、電流制限用素子を接続した請求項１及び請求項２記載のスイッチ。
【発明の詳細な説明】
【０００１】
【発明の属する技術分野】
本発明は、操作部を上下動して電路の切換を行うスイッチに係り、特に照光面を持ち、視認性を向上させ、様々な操作感触ニーズに対応させ、機器の薄型化、小型化に対応する照光式スイッチに関する。
【０００２】
【従来の技術】
図６は従来の照光式スイッチの断面図であり、接触機構部の上方に発光素子１３を配備した事例である。
図７は別の従来の照光式スイッチの断面図であり、接触機構部と発光素子２０は個別に配備した事例である。
【０００３】
【発明が解決しようとする課題】
図６の従来の照光式スイッチにあっては、端子１２を突出させたベース１１とバネ用燐青銅等の弾性板を湾曲状に形成してクリックアクション特性を得る可動接片１０とで接触機構部を構成し、接触機構部の上方に発光素子１３を配備しているため、発光素子１３の接続のために大きな配置スペースが必要であった。また操作部７の横ブレを防止するためには、操作部７の高さも必要であり、スイッチ本体を構成するハウジング８の高さや均一な照光面を確保するための大きさとも一定以上の省スペース化は困難であった。
また、図７の従来の照光式スイッチにあっては、省スペース化のためにベース１７と可動接片１６で構成される接触機構部と照光部を独立して配置したものの照光部を構成するレンズ１９と発光素子２０を側面に配備したため、スイッチの長さが大きくなるという難点があった。
本発明は、上記問題点を解決し、操作部の下方に設けた接触機構部に内蔵される接点の下方に発光素子を配備し、透光部材で形成された操作部を照光して視認性を高めるとともに省スペース化に対応した照光式スイッチを提供することを目的とする。
【０００４】
【課題を解決するための手段】
本発明は、上記目的を達成するために、複数の端子を突出したベースとカバーからなるスイッチ本体内に接触機構部を配設し、前記スイッチ本体の上方に突出した頭部と、該頭部の下方に弾性部材で略ドーム状に形成した反転部を一体的に形成した操作部からなるスイッチにおいて、前記操作部を透光性部材で形成し、前記接触機構部を構成する前記反転部内の略中央部に接点を設け、該接点の下方に一乃至複数の発光素子を配備し、前記カバーの内側面に傾斜面を環状に形成し、前記スイッチ本体内に漏えいする光を反射させて前記透光性部材を導光して前記反転部の上方に位置する前記頭部を均一照光可能に構成したものである。
また、スイッチ本体を構成するカバーを透光性部材で形成し、前記接触機構部の下方に配備した発光素子の光が前記透光性部材にて形成した前記カバーを照光するように構成したものである。
さらに、接触機構部を構成する接点の下方に複数配備する発光素子の一方に、電流制限用素子を接続する。
【０００５】
【発明の実施の形態】
本発明によれば、複数の端子を突出したベースとカバーからなるスイッチ本体内に接触機構部を配設し、前記スイッチ本体の上方に突出した頭部と、該頭部の下方に弾性部材で略ドーム状に形成した反転部を一体的に形成した操作部からなるスイッチにおいて、前記操作部を透光性部材で形成し、前記接触機構部を構成する前記反転部内の略中央部に接点を設け、該接点の下方に一乃至複数の発光素子を配備し、前記カバーの内側面に傾斜面を環状に形成し、前記スイッチ本体内に漏えいする光を反射させて前記透光性部材を導光して前記反転部の上方に位置する前記頭部を均一照光可能に構成したので、発光素子の光は、接触機構部を構成する接点に遮蔽されて影を作ることなく、反転部と一体的に形成された頭部を照光させるという優れた特徴を持つ。
【０００６】
【実施例】
以下、本発明の実施例について、図面を参照しながら詳細に説明する。
図１は本発明のスイッチの実施例を表す対角断面図、図２はその中央断面図、図３はその分解斜視図、図４はその照光状態を示す要部断面図である。
加えて、図５は発光素子の配置方法を表す要部斜視図である。
【０００７】
これらの図において、スイッチ本体部分を構成するベース６の内側の底面部６ｂに段部を形成した穴６ｃと凹部６ｄを設けて接触機構部を構成するプリント基板３を配置し、このプリント基板上に設けられた電極３ａに対向して配置されている操作部２の裏面には電極３ａと接触して導伝経路を形成する接点２ｄを配設している。
また、プリント基板３には端子穴３ｂと投光穴３ｃを設け、位置決め用に鍔部４ａを設けた端子４を複数装着するとともに、投光穴３ｃには電極３ａの下方から発光素子５を一乃至複数配備する構成としている。
【０００８】
操作部２は、ゴム弾性部材をドーム状に形成して反転部２ｂを構成し、この反転部２ｂは押圧しない状態で接点２ｅと電極３ａとを所定の間隔に保持し、押圧した状態で接点２ｅを電極３ａから解離させる方向に作用するとともに、急速な変形によるクリックアクション特性を発生させる構造としてクリック反転力と復帰力とを付勢し、この反転部２ｂの上方に押下力を伝達するブロック状の頭部２ａを一体に形成している。
【０００９】
スイッチ本体を構成するカバー１の略中央部には貫通穴１ａを設け、上下動する操作部２の頭部２ａを、この貫通穴１ａで横ガタを極力少なくし、滑らかな上下動作を可能とする構造とし、この貫通穴１ａから下方に向けて傾斜面１ｂを環状に配設して反転部２ｂの変形に対応した空間と成し、カバー１の底面部にはボス１ｆと突起１ｇを配してベース６と組合わされた時、ベース６内に配置するプリント基板３の上下ガタを抑えるとともに、反転部２ｂの下方に配置した段部２ｃをプリント基板上での位置決めとして作用させる。
また、カバー１の下方には植設された舌下部１ｄと、この舌下部１ｄに穿設された角穴１ｅが形成されている。
【００１０】
ベース６に端子４と発光素子５を取り付けたプリント基板３を組入れた後、接触機構部を構成する操作部２をプリント基板３の上に載置し、頭部２ａをカバー１の貫通穴１ａに挿入しつつ、カバー１の舌下部１ｄに設けた角穴１ｅをベース６の凸部６ａに掛止して本発明のスイッチが完成する
このように構成された本発明のスイッチは、図４に示すように、操作部２を透光性部材で形成すると接触機構部の下方に配設した発光素子５から投光される光は、反転部２ｂ内部から放射し、接点２ｄの上方に位置して本来発光素子５の光が遮光されて影を形成するところに、カバー１の内面に環状に配設された傾斜面１ｂに反射された光が、略中央部に位置する操作部２の頭部２ａに集光され、操作部２を均一に照光させることができる。
【００１１】
さらに、発光素子５が接触機構部の下方に配備されているため、照光式スイッチの薄型化、小型化に対応することができるとともに、発光素子５から光が投光されて操作部２が照光面を構成してシステムオペレーターへの正確な情報伝達が可能となる。
【００１２】
均一照光の光源として発光素子５はＬＥＤタイプにより高輝度化とトータルの消費電力の削減を図り、メンテナンス性の高いスイッチを提供するとともに、弾性部材の材質硬度を変更し、異なるクリック特性の反転部２ｂを形成して操作感触の向上を図り、様々なニーズに対応することができる。
【００１３】
また、本実施例においては操作部２を主に照光する事例を記述したが、スイッチ本体を構成するカバー１を透光性部材で形成することにより、従来にない照光形態を有するスイッチを提供することが出来る。（図示せず）
特に、カバー１の上面を曲面１ｃとし、発光素子５から投光された光が内部の傾斜面１ｂに当って屈折し、曲面１ｃに当ってスイッチ本体から放射されるため作業状態などの情報を的確に認知する視認性を確保することができる。
【００１４】
図５は接触機構部の下方に位置するプリント基板３の裏面に２個の発光素子５を配備した事例を表す要部斜視図である。一方の発光素子５をチップ抵抗にすることにより、電流制限用抵抗内蔵型スイッチや回路パターンを変更して色別の２個の発光素子５を配備して２色照光式スイッチを構成することが可能であるが、本発明はこのような応用事例を排除する物ではない。
また、発光素子５の固定方法にはハンダ付けや耐熱性の導電接着剤及びスポット溶接や機械的接合など様々な方法がある。
【００１５】
【発明の効果】
以上、詳細に説明したように、本発明によれば、次のような効果を奏することができる。
（１）複数の端子を突出したベースとカバーからなるスイッチ本体内に接触機構部を配設し、前記スイッチ本体の上方に突出した頭部と、該頭部の下方に弾性部材で略ドーム状に形成した反転部を一体的に形成した操作部からなるスイッチにおいて、前記操作部を透光性部材で形成し、前記接触機構部を構成する前記反転部内の略中央部に接点を設け、該接点の下方に一乃至複数の発光素子を配備し、前記カバーの内側面に傾斜面を環状に形成し、前記スイッチ本体内に漏えいする光を反射させて前記透光性部材を導光して前記反転部の上方に位置する前記頭部を均一照光可能に構成したので、照光面を持つ操作部を均一に照光させて、視認性を向上させ、照光式スイッチを採用する機器の作業状態を確実に認知させることができる。
（２）複数の端子を突出したベースとカバーからなるスイッチ本体内に接触機構部を配設し、前記スイッチ本体の上方に突出した頭部と、該頭部の下方に弾性部材で略ドーム状に形成した反転部を一体的に形成した操作部からなるスイッチにおいて、前記操作部を透光性部材で形成し、前記接触機構部を構成する前記反転部内の略中央部に接点を設け、該接点の下方に一乃至複数の発光素子を配備し、前記カバーの内側面に傾斜面を環状に形成し、前記スイッチ本体内に漏えいする光を反射させて前記透光性部材を導光して前記反転部の上方に位置する前記頭部を均一照光可能に構成したので、発光素子を接触機構部の下方に配設して、発光素子の配置スペースを最小にし、機器の省スペース化に貢献することが出来る。
（３）スイッチ本体を構成するカバーを透光性部材で形成し、前記接触機構部の下方に配備した発光素子の光が前記透光性部材にて形成した前記カバーを照光する構成にしたので、従来にない照光形態を有する照光式スイッチを提供することができる。
（４）接触機構部を構成する接点の下方に複数配備する発光素子の一方に、電流制限用素子を接続したので、１種類のスイッチで発光体の制御方法を自由に選択することができる。
（５）操作部は略ドーム型に形成された反転部と、該反転部と一体的に形成された頭部から構成され、該反転部の下方に段部を形成してベースの底面部との位置決めとし、カバーの底面部に植設されたボスと突起で弾性部材の固定が確実におこなわれ、カバーの略中央部に設けた貫通穴により押下時のグラツキが少なく、極めて良好な操作感を維持することができる。
【図面の簡単な説明】
【図１】本発明のスイッチの実施例を表す対角断面図である。
【図２】本発明のスイッチの実施例を表す中央断面図である。
【図３】本発明のスイッチの実施例を表す分解斜視図である。
【図４】本発明のスイッチの照光部を示す要部断面図である。
【図５】本発明のスイッチの発光素子の配置方法を表す要部斜視図である。
【図６】従来の押しボタンスイッチの事例を表す断面図である。
【図７】従来の押しボタンスイッチの別の事例を表す断面図である。
【符号の説明】
１、９  カバー
１ａ  貫通穴
１ｂ  傾斜面
１ｃ  曲面
１ｄ  舌下部
１ｅ  角穴
１ｆ  ボス
１ｇ  突起
２、７、１４  操作部
２ａ  頭部
２ｂ  反転部
２ｃ  段部
２ｄ  接点
３  プリント基板
３ａ  電極
３ｂ  端子穴
３ｃ  投光穴
４、１２、１８  端子
４ａ  鍔部
５、１３、２０  発光素子
６、１１、１７  ベース
６ａ  凸部
６ｂ  底面部
６ｃ  穴
６ｄ  凹部
８、１５  ハウジング
１０、１６  可動接片
１９  レンズ
【図１】
2005044521.tif 000003
【図２】
2005044521.tif 000004
【図３】
2005044521.tif 000005
【図４】
2005044521.tif 000006
【図５】
2005044521.tif 000007
【図６】
2005044521.tif 000008
【図７】
2005044521.tif 000009